(57)【要約】【課題】  段ボール箱の上蓋等に貼り付けしたテープの剥がし取りが容易に行え、また、次回使用時のテープの引き出しが容易に行えるようにするためにカッターに張り付いているテープ先端部を折り返して非粘着部（剥がし代）を簡単な操作で作成できるようにしたテープカッターを提供する。【解決手段】  本体１を基部とし、この前部に設けた第１揺動アーム３０及び第１弾性部材（圧縮バネ）Ｂ１と、これに連接する第２揺動アーム４０及び第２弾性部材（引張バネ）Ｂ２と、第２揺動アーム４０の中央部に配置されたカッターＣからなり、第１揺動アーム３０をテープ引き出し方向Ｘへ付勢させる付勢力Ｆ１は、第２揺動アーム４０をテープ引き出し方向へ付勢させる付勢力Ｆ２よりも強く設定したテープカッター１００である。【選択図】    図１
2010275088.tif 000002
【特許請求の範囲】
【請求項１】
右端に巻回粘着テープを回動自在に支持する筒状芯部が突出形成され、左側上方に巻回粘着テープを押さえるテープカバーが配置され、下部に巻回粘着テープより繰り出されるテープの両端位置を規制するテープガイドが配置され、下部前方にあってカッター前面部に接触可能な位置にテープ押さえ部が配置され、下部にあるテープガイドの左側には、テープの非粘着面側に接触して位置規制するガイドローラーが回動可能に支持ピンにより配置されている本体と、
上記本体上部の第１揺動支点からテープ引き出し方向と交差する方向に延長配置され、第１揺動支点を中心に揺動可能に構成され、第１弾性部材によりテープ引き出し方向に付勢され、上記第１弾性部材の付勢力に抗して反テープ引き出し方向に揺動可能に構成され、上方にカバーが配置されている第１揺動アームと、
上記第１揺動アーム下部の第２揺動支点からテープ引き出し方向と交差する方向よりテープ引き出し方向側に偏った方向に延長配置され、上記第２揺動支点を中心に揺動可能に構成され、中央部にカッターが配置され、上記第１弾性部材より弾性力の小さい第２弾性部材によりテープ引き出し方向に付勢され、上記第２弾性部材の付勢力に抗して反テープ引き出し方向に揺動可能に構成された第２揺動アームとを具備し、
上記巻回粘着テープの先端を引き出し、第２揺動アームのカッターに当ててテープをカットし、テープをカッター先端に保持した状態にて、先ず第２揺動アームを第２弾性部材に抗して、下方へ屈折操作させ、テープ先端を粘着面側へ湾曲させ、更に強い屈折操作で第２揺動アームが第１揺動アームを連動屈折させ、カッター前面部を本体のテープ押さえ部に圧接して、テープ先端部に非粘着部を形成することを特徴とするテープカッター。
【請求項２】
上記カッターは、前方に向けて設けられた切れ刃と、ほぼ９０°の角度で上方に向けられた切れ刃とを交互に設けたものであることを特徴とする請求項１記載のテープカッター。
【発明の詳細な説明】
【技術分野】
【０００１】
本発明は、段ボール箱等の上蓋を荷造り用テープで貼付するテープカッターに係り、巻回粘着テープを切断した後にカッターに張り付いているテープの先端部を折り返して非粘着部（剥がし代）を作成しておくと、次回使用時のテープの引き出しと、貼付したテープの剥がし取りが容易になるものに関する。
【背景技術】
【０００２】
従来、荷造り用テープのテープカッターが提供されている。この荷造り用テープカッターは、一例として、図３１に示すように、本体１にはその後方に巻回粘着テープ１０を回動自在に支持する筒状芯部１Ａを備えている。また、本体１の前方のテープ繰出し部１Ｂには、繰出されるテープ両端を外れないように保持する二股状のテープガイド１Ｃ，１Ｄ及びこのテープガイドの上辺部にはカッターＣを備えている。
【０００３】
上記テープカッターによる貼付け作業は、はじめにカッターＣにより切断したテープ先端部１０Ｂを手で引き出す。続いて、テープ先端部をダンボール箱ＤＢの側面部Ｓ１に貼り付ける。そして、ダンボール箱ＤＢの上蓋Ｆ３，Ｆ４を貼って行き、上蓋Ｆ３，Ｆ４の反対端部を少し出た所まで引き出して貼り、そこでテープを切断して反対側の側面部Ｓ２に貼り付けるものである。
【０００４】
上記テープカッターを改良し、段ボール箱の上蓋等を閉塞したテープの剥がし取りと、次回使用時のテープの引き出しを容易にできるように、カッターに張り付いているテープ先端部を折り返して非粘着部（剥がし代）を作成できるテープカッターが出願されている。
その構成は、後方に巻回粘着テープを回動自在に支持する筒状芯部を備え、前方のテープ繰出し部下方には繰出されるテープ両端が外れないように保持する二股状のテープガイド及びこのテープガイドの中間位置に先端を上向きに配設したテープ押え部を備えるとともに、テープ繰出し部の上方にピン支持部を備えた本体と、上記本体のピン支持部の外側に被うように設けた二股状のテープ折返しガイド壁が上下方向に回動自在となるように共通ピンにより軸支され、ピン支持部の下方のテープ折返し上部ガイド壁間に回動可能に軸支されたカッターを備え、下部ガイド壁にはカッターの回転角度を規制する上限ストッパーと下限ストッパー及びテープガイドを備え、且つカッターを下限ストッパー側に付勢する引張バネを備え、また、テープ折返し下部ガイド壁間の寸法はテープ幅より僅かに狭く作成された折返しレバー体を具備し、テープカット後に折返しレバー体のレバー部を上方に回動させて、上記テープ折返し上部ガイド壁間に軸支されているカッター先端内面部を本体のテープ押さえ部に接触させてテープ先端部を圧接しテープ先端部に非粘着部を形成するようにしたものである（例えば、特許文献１を参照。）。
【先行技術文献】
【特許文献】
【０００５】
【特許文献１】特開２００５−３５０２５７号公報
【発明の概要】
【発明が解決しようとする課題】
【０００６】
上記特開２００５−３５０２５７号公報のテープカッターによると、次回に備えてテープ端に折り返しの非粘着部を作成するのであるが、この作成作業は折り返しレバー体で行うため右手で持っていた筒状芯部を左手に持ち替えなければ非粘着部を作成することができないという使い勝手の悪い問題点があった。
【０００７】
即ち、その操作手順を具体的に説明すれば、本体の筒状芯部と折返しレバー体のレバー部を右手で同時に持ち、左手で巻回粘着テープの先端部を持って下方へ引っ張り出す。続いて、左手で巻回粘着テープの先端部をテープ折返し下部ガイド壁間を通して引っ張り出したら、粘着テープをカッターに当てて上方に引っ張る。これで、カッターが上限位置まで回動したところで、テープが動かないように巻回粘着テープの円筒部を押さえ、カッターを下方へ下げて粘着テープを切断する。テープ切断後、カッターは、引張バネの復元力で戻り下限ストッパーに当接して止まる。この時、テープ先端部はカッターの先端刃に粘着テープの糊で付着し、テープガイドにテープ粘着面が軽く接し、カッター刃先端の内面部に湾曲状態に保持される。続いて、本体下方の筒状芯部を左手に持ち替え、右手で折り返しレバー体のレバー部を上方へ回動させ、カッター先端刃を本体のテープ押さえ部に接触させると、テープ先端部が圧接されて、非粘着部が形成される。以上のように、両手操作によらなければ、折り返し作業ができないため作業能率が悪く、テープカット時にカッターが移動するため、狭い場所ではカットしにくいという操作性の悪さも存在した。
【０００８】
本発明は、上記テープカッターの問題点に基づいてなされたものでその目的は作業性の向上にある。
すなわち、非粘着部を作成する折り返し作業は、本体の筒状芯部と上部カバーを右手で同時に持ったままで行えるようにし、また、テープをカットする時は、カッター部はテープ引き出し方向（上方）へは移動しない構造にして狭い所でのカットにも支障がないようにし、また、カッターからのテープの離脱を防ぐため、板バネになっているテープ幅規制部材付きテープカバーで上部から巻回粘着テープを押さえている。
また、カッターの切れ刃は、前方に向けて設けられた切れ刃とほぼ９０°の角度で上方に向けられた切れ刃とを交互に設けた構造になっていて、まず前方に向けた刃がテープに突き刺さり、上方に向けられた切れ刃でテープを切断する。すなわち、上記のテープカバーと上記の前方に向けてテープに突き刺さっている切れ刃の相乗作用で、カッターからテープの離脱を完全に防いでいる。
また、テープが前方に向けられた切れ刃に突き刺さって離脱しないので、非粘着部作成の折り返し作業を確実に行うため、テープの両端がガイド壁に接触しないように僅かに隙間を設けた。
【課題を解決するための手段】
【０００９】
上記目的を達成するべく本発明の請求項１によるテープカッターは、右端に巻回粘着テープを回動自在に支持する筒状芯部が突出形成され、左側上方に巻回粘着テープを押さえるテープカバーが配置され、下部に巻回粘着テープより繰り出されるテープの両端位置を規制するテープガイドが配置され、下部前方にあってカッター前面部に接触可能な位置にテープ押さえ部が配置され、下部にあるテープガイドの左側には、テープの非粘着面側に接触して位置規制するガイドローラーが回動可能に支持ピンにより配置されている本体と、
上記本体上部の第１揺動支点からテープ引き出し方向と交差する方向に延長配置され、第１揺動支点を中心に揺動可能に構成され、第１弾性部材によりテープ引き出し方向に付勢され、上記第１弾性部材の付勢力に抗して反テープ引き出し方向に揺動可能に構成され、上方にカバーが配置されている第１揺動アームと、
上記第１揺動アーム下部の第２揺動支点からテープ引き出し方向と交差する方向よりテープ引き出し方向側に偏った方向に延長配置され、上記第２揺動支点を中心に揺動可能に構成され、中央部にカッターが配置され、上記第１弾性部材より弾性力の小さい第２弾性部材によりテープ引き出し方向に付勢され、上記第２弾性部材の付勢力に抗して反テープ引き出し方向に揺動可能に構成された第２揺動アームとを具備し、
上記巻回粘着テープの先端を引き出し、第２揺動アームのカッターに当ててテープをカットし、テープをカッター先端に保持した状態にて、先ず第２揺動アームを第２弾性部材に抗して、下方へ屈折操作させ、テープ先端を粘着面側へ湾曲させ、更に強い屈折操作で第２揺動アームが第１揺動アームを連動屈折させ、カッター前面部を本体のテープ押さえ部に圧接して、テープ先端部に非粘着部を形成することを特徴とするものである。
【００１０】
また、本発明の請求項２のテープカッターは、請求項１のテープカッターにおいて、上記カッターは、前方に向けて設けられた切れ刃と、ほぼ９０°の角度で上方に向けられた切れ刃とを交互に設けたものであることを特徴とするものである。
【００１１】
上記の手段によると以下のような作用が得られる。本発明のテープカッターは、本体の筒状芯部と上部テープカバーのレバー部を右手で同時に持ち、左手で巻回粘着テープの先端部を持って、下方のテープガイドとガイドローラー間を通して上方へ引っ張り出し、テープをカッターに当てて切断する。
【００１２】
続いて、左手で第２揺動アーム端を下方へ屈折操作することで、テープ先端に非粘着部を形成することができる。また、左手を使わないで、第２揺動アーム端をダンボール壁等に押し付けても非粘着部を形成することができる。
【発明の効果】
【００１３】
本発明のテープカッターによると、次回に備えてのテープ端を折り返して非粘着部を片手操作により形成することが確実にできる。また、テープを剥がす時に指先で挟持して容易に剥離できる。よって、テープ端部の切断操作と折り返し操作が簡単な操作で容易に実行できる。これにより、素速く的確にテープ貼着とテープ端の折り返し部が形成できる。
【図面の簡単な説明】
【００１４】
【図１】本発明の第１の実施の形態を示し、テープカッターの斜視図である。
【図２】本発明の第１の実施の形態を示し、テープカッターの展開斜視図である。
【図３】本発明の第１の実施の形態を示し、テープカッターの正面図である。
【図４】本発明の第１の実施の形態を示し、テープカッターの左側面図である。
【図５】本発明の第１の実施の形態を示し、テープカッターの平面図である。
【図６】本発明の第１の実施の形態を示し、テープカッターの底面図である。
【図７】本発明の第１の実施の形態を示し、フレームの正面図である。
【図８】本発明の第１の実施の形態を示し、フレームの左側面図である。
【図９】本発明の第１の実施の形態を示し、フレームの底面図である。
【図１０】本発明の第１の実施の形態を示し、第１揺動アームの正面図である。
【図１１】本発明の第１の実施の形態を示し、第１揺動アームの左側面図である。
【図１２】本発明の第１の実施の形態を示し、第２揺動アームの正面図である。
【図１３】本発明の第１の実施の形態を示し、第２揺動アームの左側面図である。
【図１４】本発明の第１の実施の形態を示し、第２揺動アームの右側面図である。
【図１５】本発明の第１の実施の形態を示し、カッターの詳細図である。
【図１６】本発明の第１の実施の形態を示し、テープ装着方法の操作説明図である。
【図１７】本発明の第１の実施の形態を示し、テープ装着方法の操作説明図である。
【図１８】本発明の第１の実施の形態を示し、テープカット方法の操作説明図である。
【図１９】本発明の第１の実施の形態を示し、テープカット方法の操作説明図である。
【図２０】本発明の第１の実施の形態を示し、テープ端の剥がし代作成の操作説明図（その１）である。
【図２１】本発明の第１の実施の形態を示し、テープ端の剥がし代作成の操作説明図（その１）である。
【図２２】本発明の第１の実施の形態を示し、テープ端の剥がし代作成の操作説明図（その１）である。
【図２３】本発明の第１の実施の形態を示し、テープ端の剥がし代作成の操作説明図（その１）である。
【図２４】本発明の第１の実施の形態を示し、テープ端の剥がし代作成の操作説明図（その１）である。
【図２５】本発明の第１の実施の形態を示し、テープ端の剥がし代作成の操作説明図（その２）である。
【図２６】本発明の第１の実施の形態を示し、テープ端の剥がし代作成の操作説明図（その２）である。
【図２７】本発明の第１の実施の形態を示し、テープ端の剥がし代作成の操作説明図（その２）である。
【図２８】本発明の第１の実施の形態を示し、テープカッターを右手で操作する平面図である。
【図２９】本発明の第１の実施の形態を示し、巻回粘着テープの斜視図である。
【図３０】本発明の第１の実施の形態を示し、剥がし代のあるテープでダンボール箱に貼付した状態図である。
【図３１】従来のテープ貼付装置の段ボール箱での貼付操作状況の斜視図である。
【発明を実施するための形態】
【００１５】
以下、図１〜図３０に示す第１の実施の形態を例にとって、本発明を実施するための形態を説明する。本発明のテープカッター１００の主要な構成要素は、図１〜図１５に示すように、本体１を基部とし、この前方に設けた第１揺動アーム３０と、これに連接する第２揺動アーム４０と、第２揺動アーム４０の中間部に配置されたカッターＣからなる。
上記本体１は、図中右端に巻回粘着テープ１０を回動自在に支持すべく突出形成した筒状芯部１Ａと、前方位置に各種部材を取り付けるために円弧状端面の取付座１Ｇ，１Ｈが樹脂材にて一体成形されている。上記本体１の取付座１Ｇ，１Ｈには、凹断面で円弧状のフレーム体１Ｆが連設されている。上記フレーム体１Ｆの上端部には円弧状のテープカバー２０を備え、上記筒状芯部１Ａに保持する巻回粘着テープの上方に配置されている。
【００１６】
上記テープカバー２０には、巻回粘着テープ１０の脱落を規制するテープ幅規制部２０Ｈが尾端に設けられている。巻回粘着テープ１０を筒状芯部１Ａに装着するには、上記テープカバー２０の尾端を筒状芯部１Ａから離反するよう上方へ持ち上げて拡開させてテープを装着させる。テープ装着後は、テープカバー２０は板バネになっているので復元力でこの尾端内面がテープ外周面に当接するとともに、テープ幅規制部２０Ｈがテープ側面に位置し、筒状芯部１Ａからの巻回粘着テープ１０の脱落を防止する。
【００１７】
上記本体１に付設したフレーム体１Ｆの前方下方にはテープ繰出し部１Ｂを備えている。円弧状端の鍔板１Ｇ，１Ｈの下方には、巻回粘着テープ１０から繰り出されるテープ１０Ａの両端が外れないように両端位置を規制する二股状のテープガイド１Ｃ，１Ｄが内側に対で配置されている。更に、テープガイド１Ｃ，１Ｄの上側には、テープ１０Ａの非粘着面側に接触して位置規制するガイドローラー２Ｒが、鍔板１Ｇ，１Ｈに設けた支持孔Ｈ５，Ｈ５に通した支持ピン３Ｐで回動可能に配置されている。上記ガイドローラー２Ｒの上方位置となるフレーム体１Ｆの外面には、テープ押さえ部１Ｅが配置されている。
【００１８】
上記フレーム体１Ｆに配置したテープ押さえ部１Ｅの上方位置には、第１揺動アーム３０が、円弧状端面の鍔板１Ｇ，１Ｈの上部位置に設けた支持孔Ｈ１，Ｈ１に通した支持ピンＰ１で支持されている。第１揺動アーム３０の構成は、１対の鍔板３０Ａ，３０Ｂが保持板３０Ｃの左右両端に連設され、鍔板３０Ａ，３０Ｂの第１揺動支点Ｏ１側に明けた支持孔Ｈ２，Ｈ２を、本体側の鍔板３０Ａ，３０Ｂの支持孔Ｈ１，Ｈ１に合わせ、これに支持ピンＰ１を通してナットＮで締めて支持されている。
第１揺動アーム３０は、本体１の鍔板１Ｇ，１Ｈの上部の第１揺動支点Ｏ１からテープ引き出し方向Ｘと交差する方向に延長配置され、第１揺動支点Ｏ１を中心に揺動可能に構成され、フレーム体１Ｆの外面と第１揺動アーム３０の保持板３０Ｃの下面に装着した一対の圧縮バネＢ１によりテープ引き出し方向Ｘに付勢され、上記圧縮バネＢ１の付勢力Ｆ１に抗して反テープ引き出し方向Ｙに揺動可能に構成されている。尚、第１揺動アーム３０のテープ引き出し方向Ｘの回動角は、鍔板１Ｇ，１Ｈの内面に設けた凸部ａ，ｂにより規制され、また、圧縮バネＢ１の両端も第１揺動アーム３０の保持板３０Ｃの下面に設けた凸部ｃと、本体１のフレーム体１Ｆの外面に設けた凸部ｄによって規制されている。
【００１９】
上記第１揺動アーム３０の下部の第２揺動支点Ｏ２に明けた支持孔Ｈ３，Ｈ３に、第２揺動アーム４０がその鍔板４０Ａ，４０Ｂに明けた支持孔Ｈ４，Ｈ４を合わせ、これに支持ピンＰ２を通してナットＮで締めて支持されている。これで、第２揺動アーム４０は、テープ引き出し方向Ｘと交差する方向よりテープ引き出し方向側に偏った方向に延長配置され、上記第２揺動支点Ｏ２を中心に揺動可能に構成され、中央部にカッターＣが配置され、上記圧縮バネＢ１の付勢力Ｆ１より小さい付勢力Ｆ２の引張バネＢ２によりテープ引き出し方向Ｘに付勢（引張力）され、上記引張バネＢ２の付勢力Ｆ２に抗して反テープ引き出し方向Ｙに揺動可能に構成されている。尚、第２揺動アーム４０のテープ引き出し方向Ｘの回動角は、第１揺動アーム３０の鍔板３０Ａ，３０Ｂの内面に設けた凸部ｅ，ｆにより規制され、引張バネＢ２の両端は第２揺動アーム４０の裏面とフレーム体１Ｆの外面とにビス等で連結し、両者間を付勢（引張力）している。
【００２０】
上記第２揺動アーム４０の鍔板４０Ａ，４０Ｂをつなぐ保持板４０Ｃの上面に、Ｌ型に折り曲げたカッターＣの基部ＣＯがビス等で取り付けられている。上記カッターＣは前方に向けて設けられた三角形状の切れ刃Ｃ１と、上方に向けられた三角形状の切れ刃Ｃ２とをほぼ９０°の角度で交互に設けている。これにより切れ刃Ｃ１でテープに突き刺さり上方に向けられた切れ刃Ｃ２でテープを切断し、切れ刃Ｃ２でテープ切断端縁１０Ｃを保持する構成になっている。また、カッターＣの前面Ｃ３は折り曲げられたテープの裏面をテープ押さえ部１Ｅに押し付け、鍔板４０Ａ，４０Ｂの内面に設けた凸部ｇ，ｈはテープ折り曲げ時にテープを折り曲げる役目を果たす。また、テープガイド幅Ｗ１はテープ幅Ｗより僅かに広く設定されているので、第２揺動アーム４０の鍔板４０Ａ，４０Ｂ先端内面に凸部ｉ，ｊを設けテープガイド幅Ｗ１の先端部のみテープ幅Ｗと同じ寸法に設定してある。これはテープガイドへテープが入る時にテープのねじれを防ぐためである。
【００２１】
しかして、上記テープカッター１００は、巻回粘着テープ１０の先端部１０Ｂを引っ張り出し、第２揺動アーム４０のカッターＣの切れ刃Ｃ２で切断し、切れ刃Ｃ２にテープ切断端縁１０Ｃが保持されている状態にて、先ず第２揺動アーム４０を引張バネＢ２に抗して下方へ屈折操作させ、テープ先端を粘着面側へ湾曲させ、更に強い屈折操作で第２揺動アーム４０が第１揺動アーム３０を連動屈折させ、カッターＣの前面Ｃ３を本体１のテープ押さえ部１Ｅに圧接すると、テープ先端部に非粘着部１０Ｄが形成される構成になっている。
【００２２】
以上の構成を基にテープの装着方法を図１６，図１７を参照して説明する。巻回粘着テープ１０を筒状芯部１Ａに装着するには、上記テープカバー２０の尾端を筒状芯部１Ａから離反するよう上方へ持ち上げて拡開させて装着させる。テープ装着後は、テープカバー２０は板バネになっているので、復元力でこの尾端内面がテープ外周面に当接するとともに、テープ幅規制部２０Ｈがテープ側面に位置し、筒状芯部１Ａからの巻回粘着テープの脱落を防止する。
【００２３】
続いて、テープ切断方法を、図１８，図１９で説明する。先ず、作業者の右手ＨＲで本体１の筒状芯部１Ａとテープカバー２０とを同時に握り、テープ１０Ａの先端１０Ｂを左手ＨＬで摘み持ち筒状芯部１Ａから引き出す。続いて、ガイドローラー２Ｒとテープガイド１Ｃ，１Ｄの間を通してカッターＣに導く。ここで、テープ１０Ａの先端１０Ｂを上方へ引き上げて先ず切れ刃Ｃ１に突き刺し、更に切れ刃Ｃ２側へ折り曲げながら引っ張ることでテープは切れ刃Ｃ２で完全に切断される。
【００２４】
続いて、テープ先端部に非粘着部（剥がし代）１０Ｈを形成する方法を、図２０〜図２４で説明する。カッターＣによりテープが切断されると、カッターＣの切れ刃Ｃ２にはテープ切断端縁１０Ｃが保持されているから、この第２揺動アーム４０を左手ＨＬで反テープ引き出し方向Ｙへ屈折操作をし、テープ先端を粘着面側へ湾曲させる。更に強い屈折操作で第２揺動アーム４０が第１揺動アーム３０の圧縮バネＢ１に抗して連動屈折させ第２揺動アーム４０のカッターＣの前面Ｃ３を本体１のテープ押さえ部１Ｅに圧接させるとテープ先端部１０Ｂに非粘着部１０Ｄが形成される。
この後、左手ＨＬを第２揺動アーム４０から開放すると、圧縮バネＢ１と引張バネＢ２の復元作用で、第２揺動アーム４０と第１揺動アーム３０とがテープ引き出し方向Ｘへ復元し、前方へ非粘着部１０Ｄが突出してくる。
【００２５】
更に、段ボール箱ＤＢの側壁等を利用してテープ先端部に非粘着部（剥がし代）１０Ｄを形成する方法を、図２５〜図２７で説明する。上記の左手ＨＬによる第２揺動アーム４０の押し込みに替えて、左手ＨＬを使わないで、右手ＨＲに持つテープカッター１００の第２揺動アーム４０の先端部を段ボール箱ＤＢの側壁等に押し込み屈折させることで行う。その手順は、図２５の当接，図２６の押し込み，図２７の解放のようにして行われる。
【００２６】
上記テープカッター１００により、ダンボール箱ＤＢの上蓋Ｆ３，Ｆ４を閉塞する事例で説明する。図３０に示すように、ダンボール箱ＤＢの上蓋Ｆ３，Ｆ４にテープを貼る時は、テープの非粘着部（剥がし代）１０Ｄを摘んで下方側へ引き出し、その先端をダンボール箱ＤＢの側面部Ｓ１に貼り付ける。そして、ダンボール箱ＤＢの上蓋Ｆ３，Ｆ４を貼って行き、上蓋Ｆ３，Ｆ４の反対端部を少し出た所まで引き出し、そこで切断して反対側の側面部Ｓ２に貼り付ける。他方、上記ダンボール箱の上蓋を開梱させる場合は、テープの非粘着部（剥がし代）１０Ｄを手で摘み、引き上げることでテープが上蓋Ｆ３，Ｆ４から簡単に剥がせる。
【００２７】
本発明の実施形態となるテープカッター１００によれば、下記のような効果が奏せられる。カッターに張り付いているテープ先端部を折り返して非粘着部（剥がし代）の作成が簡単な操作で容易にできるので、次回使用時には、図２９（ａ）の剥がし代をつまみ出せばよいのでテープの引き出しが容易になり、特に透明テープの引き出しの場合に発生しやすいテープのカット線上で一様にテープが剥がれないという図２９（ｂ）のような失敗がなくなる。
【００２８】
また、剥がし代を作ってあるテープで梱包してあるダンボール箱等を開梱する時は、ダンボール箱等にテープを一切残さないで瞬時にテープを剥がすことができる。
また、一例として、ダンボール箱発送時に納品書を封筒に入れてダンボール側面に貼り付けると便利である（図３０）。
【００２９】
尚、本発明は上記第１の実施の形態に限定されるものではなく、発明の要旨内で適宜設計変更することができることは勿論である。
【産業上の利用可能性】
【００３０】
本発明のテープカッター１００は、段ボール箱の上蓋を荷造り用テープで貼付するテープカッターについて説明したが、これに限定されるものではなく通常の事務用の粘着テープにも適用可能である。
【符号の説明】
【００３１】
１                  本体
１Ａ                筒状芯部
１Ｂ                テープ繰り出し部
１Ｃ，１Ｄ          テープガイド
１Ｅ                テープ押さえ部
１Ｆ                フレーム体
１Ｇ，１Ｈ          鍔板
２Ｒ                ガイドローラー
１０                巻回粘着テープ
１０Ａ              テープ
１０Ｂ              テープ先端部
１０Ｃ              テープ切断端縁
１０Ｄ              非粘着部（剥がし代）
２０                テープカバー
２０Ｈ              テープ幅規制部
３０                第１揺動アーム
３０Ａ，３０Ｂ      鍔板
３０Ｃ              保持板
３１                カバー
４０                第２揺動アーム
４０Ａ，４０Ｂ      鍔板
４０Ｃ              保持板
ａ〜ｊ              凸部
Ｂ１                第１弾性部材（圧縮バネ）
Ｂ２                第２弾性部材（引張バネ）
Ｃ                  カッター
ＣＯ                カッター基部
Ｃ１, Ｃ２          カッター切れ刃
Ｃ３                カッター前面
ＤＢ                段ボール箱
Ｆ１                第１弾性部材（圧縮バネ）付勢力
Ｆ２                第２弾性部材（引張バネ）付勢力
Ｆ３，Ｆ４          ダンボール箱の上蓋
Ｎ                  ナット
Ｈ１〜Ｈ５          支持孔
ＨＲ                右手
ＨＬ                左手
Ｏ１                第１揺動支点
Ｏ２                第２揺動支点
Ｐ１〜Ｐ３          支持ピン
Ｓ１，Ｓ２          ダンボール箱の側面部
Ｗ                  テープ幅
Ｗ１                テープガイド幅
Ｘ                  テープ引き出し方向
Ｙ                  反テープ引き出し方向
１００              テープカッター
【図１】
2010275088.tif 000003
【図２】
2010275088.tif 000004
【図３】
2010275088.tif 000005
【図４】
2010275088.tif 000006
【図５】
2010275088.tif 000007
【図６】
2010275088.tif 000008
【図７】
2010275088.tif 000009
【図８】
2010275088.tif 000010
【図９】
2010275088.tif 000011
【図１０】
2010275088.tif 000012
【図１１】
2010275088.tif 000013
【図１２】
2010275088.tif 000014
【図１３】
2010275088.tif 000015
【図１４】
2010275088.tif 000016
【図１５】
2010275088.tif 000017
【図１６】
2010275088.tif 000018
【図１７】
2010275088.tif 000019
【図１８】
2010275088.tif 000020
【図１９】
2010275088.tif 000021
【図２０】
2010275088.tif 000022
【図２１】
2010275088.tif 000023
【図２２】
2010275088.tif 000024
【図２３】
2010275088.tif 000025
【図２４】
2010275088.tif 000026
【図２５】
2010275088.tif 000027
【図２６】
2010275088.tif 000028
【図２７】
2010275088.tif 000029
【図２８】
2010275088.tif 000030
【図２９】
2010275088.tif 000031
【図３０】
2010275088.tif 000032
【図３１】
2010275088.tif 000033